(57)【特許請求の範囲】
【請求項１】
少なくとも２個の第１および第２の電池を縦方向に直列に実装可能な凹状で一面が開放された長方形状の両端に、前記第１の電池のプラス電極と接続するプラス電圧端子と前記第２の電池のマイナス電極と接続するマイナス電圧端子とを対向して備え、前記電池を挿嵌後前記開放された一面に蓋をするための電池収納部カバーを有する電池収納部において、前記電池収納部に前記プラス電圧端子から第１の所定距離隔てた位置に配設された前記第１の電池のプラス電極のみ突出可能な第１の仕切板と、前記第１の仕切板から第２の所定距離隔てた位置に配設された前記第２の電池のプラス電極のみ突出可能な第２の仕切板とを形成する電池誤挿入防止構造であって、前記第１の所定距離が、前記プラス電圧端子が前記第１の仕切板の電池収納側の側面より内側の電池収納側に突出しないように設定されていることを特徴とする電池誤挿入防止構造。
【請求項２】
少なくとも２個の第１および第２の電池を縦方向に直列に実装可能な凹状で一面が開放された長方形状の両端に、前記第１の電池のプラス電極と接続するプラス電圧端子と前記第２の電池のマイナス電極と接続するマイナス電圧端子とを対向して備え、前記電池を挿嵌後前記開放された一面に蓋をするための電池収納部カバーを有する電池収納部において、前記電池収納部に前記プラス電圧端子から第１の所定距離隔てた位置に配設されたＵ字状の第１の仕切板と、前記第１の仕切板から第２の所定距離隔てた位置に配設された前記第１の仕切板と同一形状である第２の仕切板とを形成する電池誤挿入防止構造であって、前記第１の所定距離が、前記プラス電圧端子が前記第１の仕切板の電池収納側の側面より内側の電池収納側に突出しないように設定されていることを特徴とする電池誤挿入防止構造。
【請求項３】
少なくとも２個の第１および第２の電池を縦方向に直列に実装可能な凹状で一面が開放された長方形状の両端に、前記第１の電池のプラス電極と接続するプラス電圧端子と前記第２の電池のマイナス電極と接続するマイナス電圧端子とを対向して備え、前記電池を挿嵌後前記開放された一面に蓋をするための電池収納部カバーを有する電池収納部において、前記電池収納部に前記プラス電圧端子から第１の所定距離隔てた位置に配設されたＵ字状の第１の仕切板と、前記第１の仕切板から第２の所定距離隔てた位置に配設された前記第１および第２の電池を挿嵌したとき前記電池のプラス電極である突起部の円周に当接しない高さの板状の第２の仕切板とを形成する電池誤挿入防止構造であって、前記第１の所定距離が、前記プラス電圧端子が前記第１の仕切板の電池収納側の側面より内側の電池収納側に突出しないように設定されていることを特徴とする電池誤挿入防止構造。
【請求項４】
少なくとも２個の第１および第２の電池を縦方向に直列に実装可能な凹状で一面が開放された長方形状の両端に、前記第１の電池のプラス電極と接続するプラス電圧端子と前記第２の電池のマイナス電極と接続するマイナス電圧端子とを対向して備え、前記電池を挿嵌後前記開放された一面に蓋をするための電池収納部カバーを有する電池収納部において、前記電池収納部に前記プラス電圧端子から所定距離隔てた位置に配設されたＵ字状の第１の仕切板を備え、前記電池収納部とは別に、前記電池収納部の内部に挿設可能な所定の長さの第１の板状部材の長手方向の略中央に、前記第１および第２の電池を挿嵌したとき前記第２の電池のプラス電極である突起部の円周に当接しない高さで、且つ前記電池収納部の長手方向の両側面内壁に当接する幅の第２の板状部材を前記第１の板状部材の長手方向に対し直角に形成した十字形状の第２の仕切板を備え、前記プラス電圧端子側に挿嵌した前記第１の電池のマイナス電極側と前記マイナス電圧端子側に挿嵌した前記第２の電池のプラス電極との間に前記第２の仕切板を挿嵌することを特徴とする電池誤挿入防止構造。
【請求項５】
少なくとも２個の第１および第２の電池を縦方向に直列に実装可能な凹状で一面が開放された長方形状の両端に、前記第１の電池のプラス電極と接続するプラス電圧端子と前記第２の電池のマイナス電極と接続するマイナス電圧端子とを対向して備え、前記電池を挿嵌後前記開放された一面に蓋をするための電池収納部カバーを有する電池収納部において、前記電池収納部に前記プラス電圧端子から所定距離隔てた位置に配設されたＵ字状の第１の仕切板を備え、前記電池収納部とは別に、前記電池収納部の内部に挿設可能な所定の長さの１対の第１の板状部材の長手方向の略中央に、前記第１および第２の電池を挿嵌したとき前記第２の電池のプラス電極である突起部の円周に当接しない高さで、且つ前記電池収納部の長手方向の両側面内壁に当接する幅の第２の板状部材を前記第１の板状部材の長手方向に対し直角に形成したＨ字形状の第２の仕切板を備え、前記プラス電圧端子側に挿嵌した前記第１の電池のマイナス電極側と前記マイナス電圧端子側に挿嵌した前記第２の電池のプラス電極との間に前記第２の仕切板を挿嵌することを特徴とする電池誤挿入防止構造。
【請求項６】
少なくとも２個の第１および第２の電池を縦方向に直列に実装可能な凹状で一面が開放された長方形状の両端に、前記第１の電池のプラス電極と接続するプラス電圧端子と前記第２の電池のマイナス電極と接続するマイナス電圧端子とを対向して備え、前記電池を挿嵌後前記開放された一面に蓋をするための電池収納部カバーを有する電池収納部において、前記電池収納部に前記プラス電圧端子から所定距離隔てた位置に配設されたＵ字状の第１の仕切板を備え、前記電池収納部とは別に、前記電池収納部の内部に挿設可能な底辺が前記第１および第２の電池を挿嵌したとき前記第２の電池のプラス電極である突起部の円周に当接しない高さで、その両端が前記電池収納部の長手方向の両側面内壁に当接する幅で、且つ両側面内壁に当接する面の所定に位置に突起部を有するコの字形状の第２の仕切板を備え、前記プラス電圧端子側に挿嵌した前記第１の電池のマイナス電極側と前記マイナス電圧端子側に挿嵌した前記第２の電池のプラス電極との間に前記第２の仕切板を挿嵌するすることを特徴とする電池誤挿入防止構造。
【請求項７】
少なくとも２個の第１および第２の電池を縦方向に直列に実装可能な凹状で一面が開放された長方形状の両端に、前記第１の電池のプラス電極と接続するプラス電圧端子と前記第２の電池のマイナス電極と接続するマイナス電圧端子とを対向して備え、前記電池を挿嵌後前記開放された一面に蓋をするための電池収納部カバーを有する電池収納部において、前記電池収納部に前記プラス電圧端子から所定距離隔てた位置に配設されたＵ字状の第１の仕切板を備え、前記電池収納部とは別に、前記電池収納部の内部に挿設可能な両端部が互いに異なる方向に所定の長さ円弧状に折曲し中央部が直線状の略Ｓ字形状で、前記第１および第２の電池を挿嵌したとき前記第２の電池のプラス電極である突起部の円周に当接しない高さで、且つ前記電池収納部の長手方向の両側面内壁に前記円弧状の両端が当接する幅の第２の仕切板を備え、前記プラス電圧端子側に挿嵌した前記第１の電池のマイナス電極側と前記マイナス電圧端子側に挿嵌した前記第２の電池のプラス電極との間に前記第２の仕切板を挿嵌することを特徴とする電池誤挿入防止構造。
【請求項８】
少なくとも２個の第１および第２の電池を縦方向に直列に実装可能な凹状で一面が開放された長方形状の両端に、前記第１の電池のプラス電極と接続するプラス電圧端子と前記第２の電池のマイナス電極と接続するマイナス電圧端子とを対向して備え、前記電池を挿嵌後前記開放された一面に蓋をするための電池収納部カバーを有する電池収納部において、前記電池収納部に前記プラス電圧端子から所定距離隔てた位置に配設された前記第１の電池のプラス電極のみ突出可能な第１の仕切板と、前記電池収納部カバーに前記第１の仕切板から所定距離隔てた位置に対応して配設された第２の仕切板とを形成することを特徴とする電池誤挿入防止構造。
【請求項９】
少なくとも２個の第１および第２の電池を縦方向に直列に実装可能な凹状で一面が開放された長方形状の両端に、前記第１の電池のプラス電極と接続するプラス電圧端子と前記第２の電池のマイナス電極と接続するマイナス電圧端子とを対向して備え、前記電池を挿嵌後前記開放された一面に蓋をするための電池収納部カバーを有する電池収納部において、前記電池収納部に前記プラス電圧端子から所定距離隔てた位置に配設されたＵ字状の第１の仕切板を備え、前記電池収納部カバーの長手方向の略中央に、前記電池収納部に前記第１および第２の電池を挿嵌したとき前記第２の電池のプラス電極である突起部の円周に当接しない高さで、且つ前記電池収納部の長手方向の両側面内壁に当接する幅で半円形状に突出した第２の仕切板を備え、前記電池収納部に前記電池収納部カバーを装着したとき前記プラス電圧端子側に挿嵌した前記第１の電池のマイナス電極側と前記マイナス電圧端子側に挿嵌した前記第２の電池のプラス電極との間に前記第２の仕切板を挿嵌することを特徴とする電池誤挿入防止構造。
【請求項１０】
少なくとも２個の第１および第２の電池を縦方向に直列に実装可能な凹状で一面が開放された長方形状の両端に、前記第１の電池のプラス電極と接続するプラス電圧端子と前記第２の電池のマイナス電極と接続するマイナス電圧端子とを対向して備え、前記電池を挿嵌後前記開放された一面に蓋をするための電池収納部カバーを有する電池収納部において、前記電池収納部に前記プラス電圧端子から所定距離隔てた位置に配設されたＵ字状の第１の仕切板を備え、前記電池収納部カバーの長手方向の略中央および一端に、前記電池収納部に前記第１および第２の電池を挿嵌したとき前記第２の電池のプラス電極である突起部の円周に当接しない高さで、且つ前記電池収納部の長手方向の両側面内壁に当接する幅で半円形状に突出した第２の仕切板を備え、前記電池収納部に前記電池収納部カバーを装着したとき前記プラス電圧端子側に挿嵌した前記第１の電池のマイナス電極側と前記マイナス電圧端子側に挿嵌した前記第２の電池のプラス電極との間および前記第２の電池のマイナス電極と前記マイナス電圧端子との間に前記第２の仕切板を挿嵌することを特徴とする電池誤挿入防止構造。
【請求項１１】
少なくとも２個の第１および第２の電池を縦方向に直列に実装可能な凹状で一面が開放された長方形状の両端に、前記第１の電池のプラス電極と接続するプラス電圧端子と前記第２の電池のマイナス電極と接続するマイナス電圧端子とを対向して備え、前記電池を挿嵌後前記開放された一面に蓋をするための電池収納部カバーを有する電池収納部において、前記電池収納部に前記第１および第２の電池を挿嵌したとき前記第２の電池のプラス電極である突起部の円周に当接しない高さで、且つ前記電池収納部の長手方向の両側面内壁に当接する幅で突出した板状の第２の仕切板を備え、前記電池収納部に前記電池収納部カバーを装着したとき前記プラス電圧端子側に挿嵌した前記第１の電池のマイナス電極側と前記マイナス電圧端子側に挿嵌した前記第２の電池のプラス電極との間に前記第２の仕切板を挿嵌することを特徴とする電池誤挿入防止構造。
【請求項１２】
少なくとも２個の第１および第２の電池を縦方向に直列に実装可能な凹状で一面が開放された長方形状の両端に、前記第１の電池のプラス電極と接続するプラス電圧端子と前記第２の電池のマイナス電極と接続するマイナス電圧端子とを対向して備え、前記電池を挿嵌後前記開放された一面に蓋をするための電池収納部カバーを有する電池収納部において、前記電池収納部に前記プラス電圧端子から所定距離隔てた位置に配設されたＵ字状の第１の仕切板を備え、前記電池収納部カバーの長手方向の略中央に、底辺が前記電池収納部に前記第１および第２の電池を挿嵌したとき前記第２の電池のプラス電極である突起部の円周に当接しない高さで、且つ前記電池収納部の長手方向の両側面内壁に当接する幅でコの字形状に突出した第２の仕切板を備え、前記電池収納部に前記電池収納部カバーを装着したとき前記プラス電圧端子側に挿嵌した前記第１の電池のマイナス電極側と前記マイナス電圧端子側に挿嵌した前記第２の電池のプラス電極との間に前記第２の仕切板を挿嵌することを特徴とする電池誤挿入防止構造。
【請求項１３】
前記プラス電圧端子およびマイナス電圧端子は同一形状で、且つ前記第１および第２の電池の挿嵌時に前記電池のプラス電極または前記電池のマイナス電極で押圧される形状に配設された弾性部材で形成されたことを特徴とする請求項１乃至１２記載の電池誤挿入防止構造。
【請求項１４】
少なくとも２個の第１および第２の電池を縦方向に直列に実装可能な凹状で一面が開放された長方形状の両端に、前記第１の電池のプラス電極と接続する弾性部材で形成されたプラス電圧端子と前記第２の電池のマイナス電極と接続する弾性部材で形成されたマイナス電圧端子とを対向して備え、前記電池を挿嵌後前記開放された一面に蓋をするための電池収納部カバーを有する電池収納部において、前記電池収納部に前記プラス電圧端子から所定距離隔てた位置に配設された前記第１の電池のプラス電極のみ突出可能な第１の仕切板と、前記第１の仕切板から所定距離隔てた位置に配設された前記第２の電池のプラス電極のみ突出可能な第２の仕切板とを形成することを特徴とする電池誤挿入防止構造。
【請求項１５】
少なくとも２個の第１および第２の電池を縦方向に直列に実装可能な凹状で一面が開放された長方形状の両端に、前記第１の電池のプラス電極と接続する弾性部材で形成されたプラス電圧端子と前記第２の電池のマイナス電極と接続する弾性部材で形成されたマイナス電圧端子とを対向して備え、前記電池を挿嵌後前記開放された一面に蓋をするための電池収納部カバーを有する電池収納部において、前記電池収納部に前記プラス電圧端子から所定距離隔てた位置に配設されたＵ字状の第１の仕切板と、前記第１の仕切板から所定距離隔てた位置に配設された前記第１の仕切板と同一形状である第２の仕切板とを形成することを特徴とする電池誤挿入防止構造。
【請求項１６】
少なくとも２個の第１および第２の電池を縦方向に直列に実装可能な凹状で一面が開放された長方形状の両端に、前記第１の電池のプラス電極と接続する弾性部材で形成されたプラス電圧端子と前記第２の電池のマイナス電極と接続する弾性部材で形成されたマイナス電圧端子とを対向して備え、前記電池を挿嵌後前記開放された一面に蓋をするための電池収納部カバーを有する電池収納部において、前記電池収納部に前記プラス電圧端子から所定距離隔てた位置に配設されたＵ字状の第１の仕切板と、前記第１の仕切板から所定距離隔てた位置に配設された前記第１および第２の電池を挿嵌したとき前記電池のプラス電極である突起部の円周に当接しない高さの板状の第２の仕切板とを形成することを特徴とする電池誤挿入防止構造。
【請求項１７】
Ｕ字状の前記第１および前記第２の仕切板は、前記電池のプラス電極である突起部の直径より大きく、且つマイナス電極の直経より小さいＵ字状の切り欠き形状であることを特徴とする請求項１乃至１２、または請求項１４乃至１６記載の電池誤挿入防止構造。
【発明の詳細な説明】
【０００１】
【発明の属する技術分野】
本発明は電池誤挿入防止構造に関し、特に携帯型端末における電池収納ボックスの構造に関する。
【０００２】
【従来の技術】
携帯型音声再生装置（ポータブルディスクプレーヤ）、携帯電話機、携帯端末等の電子機器や電子化されたカメラ装置等には、電子回路に動作電圧を供給するために乾電池が使用される場合が多い。
【０００３】
このような電子機器やカメラ装置には小型化、軽量化のために、通常１．５Ｖの乾電池を複数本直列に接続して使用されている。
【０００４】
乾電池の装填時には、電池収納ボックスに表示されている極性表示に沿って行うが、スペースの関係上、極性表示が見難い場合が多く乾電池の誤挿入が発性する。
【０００５】
このような電池の誤挿入を防止するために、電池のプラス電極と対向する位置に絶縁性材料からなる電池のプラス電極の突起のみを挿入可能とし、電池のマイナス電極面は挿入不可能な開口部が形成されたスペーサを直列に接続される電池間に配設した電池収納部が、例えば特開平１１−１５４４９８号公報に提案されている。
【０００６】
上記電池収納部は、図１４に示すように、電池Ａのマイナス電極は、コード１４と接続されたスプリング接点１６ａと接続され、電池Ｄのプラス電極は、同様にコード１４と接続された金属接点１８ａと接続されている。また、電池Ｂのプラス電極は電池Ｄが接続される金属接点１８ａと同様の接点１８ｂと接続され、電池Ｃのマイナス電極は電池Ａが接続されるスプリング接点１６ａと同様の接点１６ｂと接続され、これら接点１６ｂ、１８ｂは金属切片１２によって電気的に接続されている。
【０００７】
電池Ａと電池Ｂ（および電池Ｃと電池Ｄ）の間には、スペーサ２０が配置されている。スペーサ２０は絶縁性材料から形成され、電池Ａ（および電池Ｃ）側に位置するプラス側２０ａと、電池Ｂ（および電池Ｄ）側に位置するマイナス側２０ｂから構成される。プラス側２０ａの中央部には電池のプラス電極に形成される先端突起Ｐの直径よりも大きくかつマイナス電極の直径よりも小さい開口部２２が形成されている。
【０００８】
スペーサ２０のプラス側２０ａとマイナス側２０ｂの間には、金属部材２４が保持されている。金属部材２４は、電池Ａ（および電池Ｃ）のプラス電極と当接するプラス端子２４ａと、電池Ｂ（および電池Ｄ）のマイナス電極と当接するマイナス端子２４ｂから構成される。プラス端子２４ａには、開口部２６を通して電池Ａの先端突起Ｐの方向へ突出する微少突起２４ｃが形成され、この微少突起２４ｃは、金属部材２４をスペーサ２０に取り付けた際にプラス側２０ａから電池Ａ（および電池Ｃ）側に突出しないように、その突出量がスペーサ２０のプラス側２０ａの厚みより小さく選ばれている。
【０００９】
金属部材２４のマイナス端子２４ｂは、スプリング接点等の弾性を有する部材で形成される。このマイナス端子２４ｂは、スペーサ２０のマイナス側２０ｂに形成された開口２６を通して電池Ｂ（および電池Ｄ）側に突出している。
【００１０】
金属部材２４のプラス端子２４ａは、薄い金属板をプレスして形成され、その一方主面に電池のプラス電極と当接する微少突起２４ｃが形成される。微少突起２４ｃと反対側の他方主面には、マイナス端子２４ｂが装着され、他方主面側に突出するマイナス端子押さえが形成される。また、マイナス端子２４ｂが左右にずれるのを防止するために、左右方向の押さえも他方主面側に突出して形成されている。
【００１１】
【発明が解決しようとする課題】
上記電池収納部は、組立に際し、まず金属部材２４のプラス端子２４ａとマイナス端子２４ｂを接続して金属部材２４を形成する。次に金属部材２４をスペーサ２０のプラス側２０ａとマイナス側２０ｂの間に、プラス側２０ａの方にプラス端子２４ａがくるように位置決めして挿入するため、組立が複雑で面倒であり、
また、複雑で且つ多くの構成部品が必要で、製品コストが高騰する。
【００１２】
本発明の目的は、構造が簡単で組み立てが容易で、且つ製品コストが安価な電池収納ボックスの誤挿入防止構造を提供することにある。
【００１３】
【課題を解決するための手段】
本発明の電池誤挿入防止構造は、少なくとも２個の第１および第２の電池を縦方向に直列に実装可能な凹状で一面が開放された長方形状の両端に、前記第１の電池のプラス電極と接続するプラス電圧端子と前記第２の電池のマイナス電極と接続するマイナス電圧端子とを対向して備え、前記電池を挿嵌後前記開放された一面に蓋をするための電池収納部カバーを有する電池収納部において、前記電池収納部に前記プラス電圧端子から第１の所定距離隔てた位置に配設された前記第１の電池のプラス電極のみ突出可能な第１の仕切板と、前記第１の仕切板から第２の所定距離隔てた位置に配設された前記第２の電池のプラス電極のみ突出可能な第２の仕切板とを形成する電池誤挿入防止構造であって、前記第１の所定距離が、前記プラス電圧端子が前記第１の仕切板の電池収納側の側面より内側の電池収納側に突出しないように設定されていることを特徴とする。
【００１４】
また、少なくとも２個の第１および第２の電池を縦方向に直列に実装可能な凹状で一面が開放された長方形状の両端に、前記第１の電池のプラス電極と接続するプラス電圧端子と前記第２の電池のマイナス電極と接続するマイナス電圧端子とを対向して備え、前記電池を挿嵌後前記開放された一面に蓋をするための電池収納部カバーを有する電池収納部において、前記電池収納部に前記プラス電圧端子から第１の所定距離隔てた位置に配設されたＵ字状の第１の仕切板と、前記第１の仕切板から第２の所定距離隔てた位置に配設された前記第１の仕切板と同一形状である第２の仕切板とを形成する電池誤挿入防止構造であって、前記第１の所定距離が、前記プラス電圧端子が前記第１の仕切板の電池収納側の側面より内側の電池収納側に突出しないように設定されていることを特徴とする。
【００１５】
また、少なくとも２個の第１および第２の電池を縦方向に直列に実装可能な凹状で一面が開放された長方形状の両端に、前記第１の電池のプラス電極と接続するプラス電圧端子と前記第２の電池のマイナス電極と接続するマイナス電圧端子とを対向して備え、前記電池を挿嵌後前記開放された一面に蓋をするための電池収納部カバーを有する電池収納部において、前記電池収納部に前記プラス電圧端子から第１の所定距離隔てた位置に配設されたＵ字状の第１の仕切板と、前記第１の仕切板から第２の所定距離隔てた位置に配設された前記第１および第２の電池を挿嵌したとき前記電池のプラス電極である突起部の円周に当接しない高さの板状の第２の仕切板とを形成する電池誤挿入防止構造であって、前記第１の所定距離が、前記プラス電圧端子が前記第１の仕切板の電池収納側の側面より内側の電池収納側に突出しないように設定されていることを特徴とする。
【００１６】
また、少なくとも２個の第１および第２の電池を縦方向に直列に実装可能な凹状で一面が開放された長方形状の両端に、前記第１の電池のプラス電極と接続するプラス電圧端子と前記第２の電池のマイナス電極と接続するマイナス電圧端子とを対向して備え、前記電池を挿嵌後前記開放された一面に蓋をするための電池収納部カバーを有する電池収納部において、前記電池収納部に前記プラス電圧端子から所定距離隔てた位置に配設されたＵ字状の第１の仕切板を備え、前記電池収納部とは別に、前記電池収納部の内部に挿設可能な所定の長さの第１の板状部材の長手方向の略中央に、前記第１および第２の電池を挿嵌したとき前記第２の電池のプラス電極である突起部の円周に当接しない高さで、且つ前記電池収納部の長手方向の両側面内壁に当接する幅の第２の板状部材を前記第１の板状部材の長手方向に対し直角に形成した十字形状の第２の仕切板を備え、前記プラス電圧端子側に挿嵌した前記第１の電池のマイナス電極側と前記マイナス電圧端子側に挿嵌した前記第２の電池のプラス電極との間に前記第２の仕切板を挿嵌することを特徴とする。
【００１７】
また、少なくとも２個の第１および第２の電池を縦方向に直列に実装可能な凹状で一面が開放された長方形状の両端に、前記第１の電池のプラス電極と接続するプラス電圧端子と前記第２の電池のマイナス電極と接続するマイナス電圧端子とを対向して備え、前記電池を挿嵌後前記開放された一面に蓋をするための電池収納部カバーを有する電池収納部において、前記電池収納部に前記プラス電圧端子から所定距離隔てた位置に配設されたＵ字状の第１の仕切板を備え、前記電池収納部とは別に、前記電池収納部の内部に挿設可能な所定の長さの１対の第１の板状部材の長手方向の略中央に、前記第１および第２の電池を挿嵌したとき前記第２の電池のプラス電極である突起部の円周に当接しない高さで、且つ前記電池収納部の長手方向の両側面内壁に当接する幅の第２の板状部材を前記第１の板状部材の長手方向に対し直角に形成したＨ字形状の第２の仕切板を備え、前記プラス電圧端子側に挿嵌した前記第１の電池のマイナス電極側と前記マイナス電圧端子側に挿嵌した前記第２の電池のプラス電極との間に前記第２の仕切板を挿嵌することを特徴とする。
【００１８】
また、少なくとも２個の第１および第２の電池を縦方向に直列に実装可能な凹状で一面が開放された長方形状の両端に、前記第１の電池のプラス電極と接続するプラス電圧端子と前記第２の電池のマイナス電極と接続するマイナス電圧端子とを対向して備え、前記電池を挿嵌後前記開放された一面に蓋をするための電池収納部カバーを有する電池収納部において、前記電池収納部に前記プラス電圧端子から所定距離隔てた位置に配設されたＵ字状の第１の仕切板を備え、前記電池収納部とは別に、前記電池収納部の内部に挿設可能な底辺が前記第１および第２の電池を挿嵌したとき前記第２の電池のプラス電極である突起部の円周に当接しない高さで、その両端が前記電池収納部の長手方向の両側面内壁に当接する幅で、且つ両側面内壁に当接する面の所定に位置に突起部を有するコの字形状の第２の仕切板を備え、前記プラス電圧端子側に挿嵌した前記第１の電池のマイナス電極側と前記マイナス電圧端子側に挿嵌した前記第２の電池のプラス電極との間に前記第２の仕切板を挿嵌することを特徴とする。
【００１９】
また、少なくとも２個の第１および第２の電池を縦方向に直列に実装可能な凹状で一面が開放された長方形状の両端に、前記第１の電池のプラス電極と接続するプラス電圧端子と前記第２の電池のマイナス電極と接続するマイナス電圧端子とを対向して備え、前記電池を挿嵌後前記開放された一面に蓋をするための電池収納部カバーを有する電池収納部において、前記電池収納部に前記プラス電圧端子から所定距離隔てた位置に配設されたＵ字状の第１の仕切板を備え、前記電池収納部とは別に、前記電池収納部の内部に挿設可能な両端部が互いに異なる方向に所定の長さ円弧状に折曲し中央部が直線状の略Ｓ字形状で、前記第１および第２の電池を挿嵌したとき前記第２の電池のプラス電極である突起部の円周に当接しない高さで、且つ前記電池収納部の長手方向の両側面内壁に前記円弧状の両端が当接する幅の第２の仕切板を備え、前記プラス電圧端子側に挿嵌した前記第１の電池のマイナス電極側と前記マイナス電圧端子側に挿嵌した前記第２の電池のプラス電極との間に前記第２の仕切板を挿嵌することを特徴とする。
【００２０】
また、少なくとも２個の第１および第２の電池を縦方向に直列に実装可能な凹状で一面が開放された長方形状の両端に、前記第１の電池のプラス電極と接続するプラス電圧端子と前記第２の電池のマイナス電極と接続するマイナス電圧端子とを対向して備え、前記電池を挿嵌後前記開放された一面に蓋をするための電池収納部カバーを有する電池収納部において、前記電池収納部に前記プラス電圧端子から所定距離隔てた位置に配設された前記第１の電池のプラス電極のみ突出可能な第１の仕切板と、前記電池収納部カバーに前記第１の仕切板から所定距離隔てた位置に対応して配設された第２の仕切板とを形成することを特徴とする。
【００２１】
また、少なくとも２個の第１および第２の電池を縦方向に直列に実装可能な凹状で一面が開放された長方形状の両端に、前記第１の電池のプラス電極と接続するプラス電圧端子と前記第２の電池のマイナス電極と接続するマイナス電圧端子とを対向して備え、前記電池を挿嵌後前記開放された一面に蓋をするための電池収納部カバーを有する電池収納部において、前記電池収納部に前記プラス電圧端子から所定距離隔てた位置に配設されたＵ字状の第１の仕切板を備え、前記電池収納部カバーの長手方向の略中央に、前記電池収納部に前記第１および第２の電池を挿嵌したとき前記第２の電池のプラス電極である突起部の円周に当接しない高さで、且つ前記電池収納部の長手方向の両側面内壁に当接する幅で半円形状に突出した第２の仕切板を備え、前記電池収納部に前記電池収納部カバーを装着したとき前記プラス電圧端子側に挿嵌した前記第１の電池のマイナス電極側と前記マイナス電圧端子側に挿嵌した前記第２の電池のプラス電極との間に前記第２の仕切板を挿嵌することを特徴とする。
【００２２】
また、少なくとも２個の第１および第２の電池を縦方向に直列に実装可能な凹状で一面が開放された長方形状の両端に、前記第１の電池のプラス電極と接続するプラス電圧端子と前記第２の電池のマイナス電極と接続するマイナス電圧端子とを対向して備え、前記電池を挿嵌後前記開放された一面に蓋をするための電池収納部カバーを有する電池収納部において、前記電池収納部に前記プラス電圧端子から所定距離隔てた位置に配設されたＵ字状の第１の仕切板を備え、前記電池収納部カバーの長手方向の略中央および一端に、前記電池収納部に前記第１および第２の電池を挿嵌したとき前記第２の電池のプラス電極である突起部の円周に当接しない高さで、且つ前記電池収納部の長手方向の両側面内壁に当接する幅で半円形状に突出した第２の仕切板を備え、前記電池収納部に前記電池収納部カバーを装着したとき前記プラス電圧端子側に挿嵌した前記第１の電池のマイナス電極側と前記マイナス電圧端子側に挿嵌した前記第２の電池のプラス電極との間および前記第２の電池のマイナス電極と前記マイナス電圧端子との間に前記第２の仕切板を挿嵌することを特徴とする。
【００２３】
また、少なくとも２個の第１および第２の電池を縦方向に直列に実装可能な凹状で一面が開放された長方形状の両端に、前記第１の電池のプラス電極と接続するプラス電圧端子と前記第２の電池のマイナス電極と接続するマイナス電圧端子とを対向して備え、前記電池を挿嵌後前記開放された一面に蓋をするための電池収納部カバーを有する電池収納部において、前記電池収納部に前記第１および第２の電池を挿嵌したとき前記第２の電池のプラス電極である突起部の円周に当接しない高さで、且つ前記電池収納部の長手方向の両側面内壁に当接する幅で突出した板状の第２の仕切板を備え、前記電池収納部に前記電池収納部カバーを装着したとき前記プラス電圧端子側に挿嵌した前記第１の電池のマイナス電極側と前記マイナス電圧端子側に挿嵌した前記第２の電池のプラス電極との間に前記第２の仕切板を挿嵌することを特徴とする。
【００２４】
また、少なくとも２個の第１および第２の電池を縦方向に直列に実装可能な凹状で一面が開放された長方形状の両端に、前記第１の電池のプラス電極と接続するプラス電圧端子と前記第２の電池のマイナス電極と接続するマイナス電圧端子とを対向して備え、前記電池を挿嵌後前記開放された一面に蓋をするための電池収納部カバーを有する電池収納部において、前記電池収納部に前記プラス電圧端子から所定距離隔てた位置に配設されたＵ字状の第１の仕切板を備え、前記電池収納部カバーの長手方向の略中央に、底辺が前記電池収納部に前記第１および第２の電池を挿嵌したとき前記第２の電池のプラス電極である突起部の円周に当接しない高さで、且つ前記電池収納部の長手方向の両側面内壁に当接する幅でコの字形状に突出した第２の仕切板を備え、前記電池収納部に前記電池収納部カバーを装着したとき前記プラス電圧端子側に挿嵌した前記第１の電池のマイナス電極側と前記マイナス電圧端子側に挿嵌した前記第２の電池のプラス電極との間に前記第２の仕切板を挿嵌することを特徴とする。
【００２５】
また、前記プラス電圧端子およびマイナス電圧端子は同一形状で、且つ前記第１および第２の電池の挿嵌時に前記電池のプラス電極または前記電池のマイナス電極で押圧される形状に配設された弾性部材で形成されたことを特徴とする請求項１乃至１２記載の電池誤挿入防止構造。
【００２６】
また、少なくとも２個の第１および第２の電池を縦方向に直列に実装可能な凹状で一面が開放された長方形状の両端に、前記第１の電池のプラス電極と接続する弾性部材で形成されたプラス電圧端子と前記第２の電池のマイナス電極と接続する弾性部材で形成されたマイナス電圧端子とを対向して備え、前記電池を挿嵌後前記開放された一面に蓋をするための電池収納部カバーを有する電池収納部において、前記電池収納部に前記プラス電圧端子から所定距離隔てた位置に配設された前記第１の電池のプラス電極のみ突出可能な第１の仕切板と、前記第１の仕切板から所定距離隔てた位置に配設された前記第２の電池のプラス電極のみ突出可能な第２の仕切板とを形成することを特徴とする。
【００２７】
また、少なくとも２個の第１および第２の電池を縦方向に直列に実装可能な凹状で一面が開放された長方形状の両端に、前記第１の電池のプラス電極と接続する弾性部材で形成されたプラス電圧端子と前記第２の電池のマイナス電極と接続する弾性部材で形成されたマイナス電圧端子とを対向して備え、前記電池を挿嵌後前記開放された一面に蓋をするための電池収納部カバーを有する電池収納部において、前記電池収納部に前記プラス電圧端子から所定距離隔てた位置に配設されたＵ字状の第１の仕切板と、前記第１の仕切板から所定距離隔てた位置に配設された前記第１の仕切板と同一形状である第２の仕切板とを形成することを特徴とする。
【００２８】
また、少なくとも２個の第１および第２の電池を縦方向に直列に実装可能な凹状で一面が開放された長方形状の両端に、前記第１の電池のプラス電極と接続する弾性部材で形成されたプラス電圧端子と前記第２の電池のマイナス電極と接続する弾性部材で形成されたマイナス電圧端子とを対向して備え、前記電池を挿嵌後前記開放された一面に蓋をするための電池収納部カバーを有する電池収納部において、前記電池収納部に前記プラス電圧端子から所定距離隔てた位置に配設されたＵ字状の第１の仕切板と、前記第１の仕切板から所定距離隔てた位置に配設された前記第１および第２の電池を挿嵌したとき前記電池のプラス電極である突起部の円周に当接しない高さの板状の第２の仕切板とを形成することを特徴とする。
【００２９】
また、Ｕ字状の前記第１および前記第２の仕切板は、前記電池のプラス電極である突起部の直径より大きく、且つマイナス電極の直経より小さいＵ字状の切り欠き形状であることを特徴とする請求項１乃至１２、または請求項１４乃至１６記載の電池誤挿入防止構造。
【００３０】
【発明の実施の形態】
本発明の実施の形態について図面を参照して説明する。図１は本発明の第１の実施例の電池収納部の外観を示す図、図２は図１の電池収納部に電池を挿入した場合の断面図であり、（Ａ）は電池の正常挿入状態を示す図，（Ｂ）および（Ｃ）は電池の誤挿入状態を示す図、図３は第２の実施例の電池収納部の外観を示す図、図４は第３〜第１０の実施例の電池収納部の外観を示す図、図５は第３の実施例の第２の仕切板を示す図、図６は第３の実施例の組立時の状態を示す図であり、（Ａ）は平面図、（Ｂ）は断面図、図７は第４の実施例の第２の仕切板を示す図、図８は第４の実施例の組立時の状態を示す図であり、（Ａ）は平面図、（Ｂ）は断面図、図９は第５の実施例の第２の仕切板を示す図、図１０は第５の実施例の組立時の状態を示す図であり、（Ａ）は平面図、（Ｂ）は断面図、図１１は第６の実施例の第２の仕切板を示す図、図１２は第６の実施例の組立時の状態を示す図であり、（Ａ）は平面図、（Ｂ）は断面図、図１３は第７〜第１０の電池収納部カバー側の仕切板を示す図であり、（Ａ）は第１１の仕切板を示す図、（Ｂ）は第１２の仕切板を示す図、（Ｃ）は第３の仕切板を示す図、（【００３１】
本発明の第１の実施例について説明する。第１の実施例の電池誤挿入防止構造は図１に示すように、２個の電池を直列に収納する凹状の電池収納部１と、電池収納部１の一方に配設され電池のプラス電極と接続するプラス電圧端子２と、プラス電圧端子２に対面して他方に配設され電池のマイナス電極と接続するマイナス電圧端子３と、プラス電圧端子２から所定の距離離れた内側に配設されたＵ字形状の溝を有する第１の仕切板４と、プラス電圧端子２に当接して挿入された電池のマイナス電極とマイナス電圧端子３に当接して挿入された電池のプラス電極との間に配設されたＵ字形状の溝を有する第２の仕切板５とから構成されている。
【００３２】
第１の仕切板４および第２の仕切板５は、電池のプラス電極である突起部の直経より大きく且つマイナス電極の直経より小さいＵ字状の切り欠きを有し一体形成されている。
【００３３】
プラス電圧端子２は電池のプラス電極に圧接され当接する板バネ状の端子であり、マイナス電圧端子３は電池のマイナス電極に圧接され当接する板バネ状の端子である。従ってプラス電圧端子２とマイナス電圧端子３は同一形状であってもよい。
【００３４】
次に図２に図１を併せて参照して電池の挿入方法について説明する。図２（Ａ）は電池が正常に挿入されている状態を示している。電池収納部１に電池を挿入する場合、第１の電池２０のマイナス電極を第２の仕切板５に当接した後、プラス電極を第１の仕切板４のＵ字溝に沿って押し込むと、プラス電圧端子２の板バネがプラス電極の突起により下方へ押圧され固定される。
【００３５】
次に第２の電池２１のプラス電極を第２の仕切板５のＵ字溝に沿って挿入した後、マイナス電極をマイナス電圧端子３に当接して押し込むと、マイナス電圧端子３の板バネがマイナス電極により押圧され固定される。
【００３６】
これにより、第２の仕切板５のＵ字溝から突出した第２の電池２１のプラス電極と第１の電池２０のマイナス電極が第２の仕切板５を隔てて直列に接続される。
【００３７】
次に電池を誤挿入した場合について説明する。図２（Ｂ）は第２の電池２１の極性を誤って挿入した場合を示している。図２（Ｂ）によれば第１の電池２０のマイナス電極と第２の電池２１のマイナス電極が相対して挿入されているが、第１の電池２０のマイナス電極と第２の電池２１のマイナス電極は第２の仕切板５により隔離されているため、第１の電池２０と第２の電池２１の接触を回避することができ電源回路は通電不能になる。
【００３８】
図２（Ｃ）は第１の電池２０の極性を誤って挿入した場合を示している。図２（Ｃ）によれば第１の電池２０のプラス電極と第２の電池２１のプラス電極が相対して挿入されているが、第１の電池２０のマイナス電極とプラス電圧端子２は第１の仕切板４により隔離されているため、第１の電池２０のマイナス電極とプラス電圧端子２との接触を回避することができ電源回路は通電不能になる。
【００３９】
次に第２の実施例について図３を参照して説明する。第２の実施例の電池誤挿入防止構造は図３示すように、２個の電池を直列に収納する凹状の電池収納部１と、電池収納部１の一方に配設され電池のプラス電極と接続するプラス電圧端子２と、プラス電圧端子２に対面して他方に配設され電池のマイナス電極と接続するマイナス電圧端子３と、プラス電圧端子２から所定の距離離れた内側に配設されたＵ字形状の溝を有する第１の仕切板４と、プラス電圧端子に当接して収納された第１の電池２０のマイナス電極とマイナス電圧端子３に当接して収納された第２の電池２１のプラス電極との間に配設された板状の第２の仕切板６とから構成されている。
【００４０】
プラス電圧端子２は電池のプラス電極に圧接され当接する板バネ状の端子であり、マイナス電圧端子３は電池のマイナス電極に圧接され当接する板バネ状の端子である。従ってプラス電圧端子２とマイナス電圧端子３は同一形状であってもよい。
【００４１】
第１の仕切板４は、電池のプラス電極である突起部の直経より大きく且つマイナス電極の直経より小さいＵ字状の切り欠きを有し、第２の仕切板６は凹状の電池収納部１の底部に電池のプラス電極である突起部の円周に当接しない高さで且つ電池収納部１の長手方向の内壁に当接して一体成型さている。
【００４２】
電池の挿入は、第１の電池２０のマイナス電極を第２の仕切板６に当接した後、プラス電極を第１の仕切板４のＵ字溝に沿って押し込むと、プラス電圧端子４の板バネがプラス電極の突起により下方へ押圧され固定される。
【００４３】
次に第２の電池２１のプラス電極を第２の仕切板６に沿って挿入した後、マイナス電極をマイナス電圧端子３に当接して押し込むと、マイナス電圧端子３の板バネがマイナス電極により押圧され固定される。これにより、第２の仕切板６から突出した第２の電池２１のプラス電極と第１の電池２０のマイナス電極が第２の仕切板６を隔てて直列に接続され電源回路は通電状態になる。
【００４４】
また、第１の電池２０のマイナス電極と第２の電池２１のマイナス電極が相対して挿入された場合は、第１の電池２０のマイナス電極と第２の電池２１のマイナス電極は第２の仕切板６により隔離され、電源回路は通電不能になる。
【００４５】
また、第１の電池２０のプラス電極と第２の電池２１のプラス電極が相対して挿入した場合は、第１の電池２０のマイナス電極とプラス電圧端子２は第１の仕切板４により隔離されているため、第１の電池２０のマイナス電極とプラス電圧端子２との接触を回避することができ電源回路は通電不能になる。
【００４６】
次に第３の実施例について図４、図５および図６を参照して説明する。第３の実施例の電池誤挿入防止構造は、図４示す２個の電池を直列に収納する凹状の電池収納部１と、図５に示す第２の仕切板７とか構成される。
【００４７】
電池収納部１は、長手方向の一方に配設され電池のプラス電極と接続するプラス電圧端子２と、プラス電圧端子２に対面して他方に配設され電池のマイナス電極と接続するマイナス電圧端子３と、プラス電圧端子２から所定の距離離れた内側に配設されたＵ字形状の溝を有する第１の仕切板４とから構成されている。
【００４８】
プラス電圧端子２は電池のプラス電極に圧接され当接する板バネ状の端子であり、マイナス電圧端子３は電池のマイナス電極に圧接され当接する板バネ状の端子である。従ってプラス電圧端子２とマイナス電圧端子３は同一形状であってもよい。
【００４９】
第１の仕切板４は、電池のプラス電極である突起部の直経より大きく且つマイナス電極の直経より小さいＵ字状の切り欠きを有し、また第２の仕切板７は、図５に示すように凹状の電池収納部１の内部に挿設可能な幅で且つ所定の長さの板状部材の略中央に、電池収納部１に電池を収納したとき電池のプラス電極の突起部の円周より低い高さで、且つ電池収納部の長手方向の内壁に当接する幅の板状部材を直角に（十字状）一体形成されている。
【００５０】
電池の挿入は、図６（Ａ）に示すように、図５に示す第２の仕切板７を図４に示す電池収納部１の凹状内部の略中央に挿設した後、第１の電池２０のプラス電極をプラス電圧端子２側に向けて乗せ、第２の電池２１のマイナス電極をマイナス電圧端子３側に向けて乗せ、第１および第２の電池を同時に圧下して電池収納部１の凹状内部に挿嵌する。
【００５１】
これにより図６（Ｂ）に示すように、第１の電池２０のプラス電極である突起部が第１の仕切板４のＵ字形状の切り欠きに沿って押下されプラス電圧端子２と接触し、第２の電池２１のマイナス電極はマイナス電圧端子３と接触し、第１の電池２０のマイナス電極と第２の電池２１のプラス電極が第２の仕切板７を介して接触し電源回路は通電状態になる。
【００５２】
第２の電池２１の極性を誤って挿入した場合、第１の電池２０のマイナス電極と第２の電池２１のマイナス電極が相対して挿入されるが、第１の電池２０のマイナス電極と第２の電池２１のマイナス電極は第２の仕切板７で隔離されているため、第１の電池２０と第２の電池２１は接触を回避でき電源回路は通電不能になる。
【００５３】
また、第１の電池２０の極性を誤って挿入した場合、第１の電池２０のプラス電極と第２の電池２１のプラス電極が相対して挿入されているが、第１の電池２０のマイナス電極とプラス電圧端子２は第１の仕切板７により隔離されているため、第１の電池２０のマイナス電極とプラス電圧端子２との接触を回避することができ電源回路は通電不能になる。
【００５４】
次に第４の実施例について図４、図７および図８を参照して説明する。第４の実施例の電池誤挿入防止構造は、図４示す２個の電池を直列に収納する凹状の電池収納部１と、図７に示す第２の仕切板８とか構成される。
【００５５】
電池収納部１は、長手方向の一方に配設され電池のプラス電極と接続するプラス電圧端子２と、プラス電圧端子２に対面して他方に配設され電池のマイナス電極と接続するマイナス電圧端子３と、プラス電圧端子２から所定の距離離れた内側に配設されたＵ字形状の溝を有する第１の仕切板４とから構成されている。
【００５６】
プラス電圧端子２は電池のプラス電極に圧接され当接する板バネ状の端子であり、マイナス電圧端子３は電池のマイナス電極に圧接され当接する板バネ状の端子である。従ってプラス電圧端子２とマイナス電圧端子３は同一形状であってもよい。
【００５７】
第１の仕切板４は、電池のプラス電極である突起部の直径より大きく且つマイナス電極の直径より小さいＵ字状の切り欠きを有し、また第２の仕切板８は、図７に示すように凹状の電池収納部１の内部に挿設可能な所定の長さの１対の板状部材の中央に、電池収納部１に電池を収納したとき電池のプラス電極の突起部の円周より低い高さで、且つ電池収納部１の長手方向の内壁に当接する幅の板状部材を直角に（Ｈ字形状）一体形成されている。
【００５８】
電池の挿入は、図８（Ａ）に示すように、図７に示す第２の仕切板８を図４に示す電池収納部１の凹状内部のマイナス電圧端子３側に挿設した後、第１の電池２０のプラス電極を第１の仕切板４のＵ字状の溝に沿って挿入し、次いで第２の電池２１のマイナス電極をマイナス電圧端子３側に向けて乗せ、第１および第２の電池を同時に圧下して電池収納部１の凹状内部に挿嵌する。このときの電池と第２の仕切板８との位置関係は図８（Ｃ）に示すようになる。
【００５９】
これにより図８（Ｂ）に示すように、第１の電池２０のプラス電極である突起部が第１の仕切板４のＵ字形状の切り欠きから突出してプラス電圧端子２と接触し、第２の電池２１のマイナス電極はマイナス電圧端子３と接触し、第１の電池２０のマイナス電極と第２の電池２１のプラス電極が第２の仕切板８を隔てて接触し電源回路は通電状態になる。
【００６０】
第２の電池２１の極性を誤って挿入した場合、第１の電池２０のマイナス電極と第２の電池２１のマイナス電極が相対して挿入されるが、第１の電池２０のマイナス電極と第２の電池２１のマイナス電極は第２の仕切板８で隔離されているため、第１の電池２０と第２の電池２１は接触を回避でき電源回路は通電不能になる。
【００６１】
また、第１の電池２０の極性を誤って挿入した場合、第１の電池２０のプラス電極と第２の電池２１のプラス電極が相対して挿入されているが、第１の電池のマイナス電極とプラス電圧端子２は第１の仕切板８により隔離されているため第１の電池２０のマイナス電極とプラス電圧端子２との接触を回避することができ電源回路は通電不能になる。
【００６２】
次に第５の実施例について図４、図９および図１０を参照して説明する。第５の実施例の電池誤挿入防止構造は、図４示す２個の電池を直列に収納する凹状の電池収納部１と、図９に示す第２の仕切板９とか構成される。
【００６３】
電池収納部１は、長手方向の一方に配設され電池のプラス電極と接続するプラス電圧端子２と、プラス電圧端子２に対面して他方に配設され電池のマイナス電極と接続するマイナス電圧端子３と、プラス電圧端子２から所定の距離離れた内側に配設されたＵ字形状の溝を有する第１の仕切板４とから構成されている。
【００６４】
プラス電圧端子２は電池のプラス電極に圧接され当接する板バネ状の端子であり、マイナス電圧端子３は電池のマイナス電極に圧接され当接する板バネ状の端子である。従ってプラス電圧端子２とマイナス電圧端子３は同一形状であってもよい。
【００６５】
第１の仕切板４は、電池のプラス電極である突起部の直経より大きく且つマイナス電極の直経より小さいＵ字状の切り欠きを有し、また第２の仕切板９は、図９に示すように凹状の電池収納部１の内部に挿設可能な底辺が電池を挿嵌したとき電池のプラス電極である突起部の円周に当接しない高さで、その両端が電池収納部１の長手方向の両側面内壁に当接する幅で、且つ両側面内壁に当接する面の所定に位置に突起部（例えば円ボス）を備えコの字形状に一体形成されている。
【００６６】
電池の挿入は、図１０（Ａ）に示すように、図９に示す第２の仕切板９を図４に示す電池収納部１の凹状内部の略中央に挿設した後（円ボスが電池収納部１の内壁を押圧して保持される）、第１の電池２０のプラス電極を第１の仕切板４のＵ字状の溝に沿って挿入し、次いで第２の電池２１を第２の仕切板９にマイナス電極をマイナス電圧端子３側に向けて乗せ、第２の電池２１を圧下して電池収納部１の凹状内部に挿嵌する。このときの電池と第２の仕切板９との位置関係は図１０（Ｃ）に示すようになる。
【００６７】
これにより図１０（Ｂ）に示すように、第１の電池２０のプラス電極である突起部が第１の仕切板４のＵ字形状の切り欠きを突出してプラス電圧端子２と接触し、第２の電池２１のマイナス電極はマイナス電圧端子３と接触し、第１の電池２１のマイナス電極と第２の電池２１のプラス電極が第２の仕切板９を隔てて接触し電源回路は通電状態になる。
【００６８】
第２の電池２１の極性を誤って挿入した場合、第１の電池２０のマイナス電極と第２の電池２１のマイナス電極が相対して挿入されるが、第１の電池２０のマイナス電極と第２の電池２１のマイナス電極は第２の仕切板９で隔離されているため、第１の電池２０と第２の電池２１は接触を回避でき電源回路は通電不能になる。
【００６９】
また、第１の電池２０の極性を誤って挿入した場合、第１の電池２０のプラス電極と第２の電池２１のプラス電極が相対して挿入されているが、第１の電池２０のマイナス電極とプラス電圧端子２は第１の仕切板９により隔離されているため、第１の電池２０のマイナス電極とプラス電圧端子２との接触を回避することができ電源回路は通電不能になる。
【００７０】
次に第６の実施例について図４、図１１および図１２を参照して説明する。第６の実施例の電池誤挿入防止構造は、図４示す２個の電池を直列に収納する凹状の電池収納部１と、図１１に示す第２の仕切板１０とか構成される。
【００７１】
電池収納部１は、長手方向の一方に配設され電池のプラス電極と接続するプラス電圧端子２と、プラス電圧端子２に対面して他方に配設され電池のマイナス電極と接続するマイナス電圧端子３と、プラス電圧端子２から所定の距離離れた内側に配設されたＵ字形状の溝を有する第１の仕切板４とから構成されている。
【００７２】
プラス電圧端子２は電池のプラス電極に圧接され当接する板バネ状の端子であり、マイナス電圧端子３は電池のマイナス電極に圧接され当接する板バネ状の端子である。従ってプラス電圧端子２とマイナス電圧端子３は同一形状であってもよい。
【００７３】
第１の仕切板４は、電池のプラス電極である突起部の直経より大きく且つマイナス電極の直経より小さいＵ字状の切り欠きを有し、第２の仕切板１０は、図１１に示すように電池収納部の内部に挿設可能な略Ｓ字状で中間部が直線状で、電池を挿嵌したとき電池のプラス電極である突起部の円周に当接しない高さで、その両端の円弧部分が電池収納部１の長手方向の両側面内壁に当接する幅で一体整形されている。
【００７４】
電池の挿入は、図１２（Ａ）に示すように、図１１に示す第２の仕切板１０を図４に示す電池収納部１の凹状内部の略中央に挿設し、両端の円弧部分が電池収納部１の内壁を押圧して保持されるよう回転して固定した後、第１の電池２０のプラス電極を第１の仕切板４のＵ字状の溝に沿って挿入し、次いで第２の電池２１を第２の仕切板１０にマイナス電極をマイナス電圧端子３に当接して圧下し電池収納部１の凹状内部に挿嵌する。このときの電池と第２の仕切板１０との位置関係は図１２（Ｃ）に示すようになる。
【００７５】
これにより図１２（Ｂ）に示すように、第１の電池２０のプラス電極である突起部が第１の仕切板４のＵ字形状の切り欠きを突出してプラス電圧端子２と接触し、第２の電池２１のマイナス電極はマイナス電圧端子３と接触し、第１の電池２０のマイナス電極と第２の電池２１のプラス電極が第２の仕切板１０を隔てて接触し電源回路は通電状態になる。
【００７６】
第２の電池２１の極性を誤って挿入した場合、第１の電池２０のマイナス電極と第２の電池２１のマイナス電極が相対して挿入されるが、第１の電池２０のマイナス電極と第２の電池２１のマイナス電極は第２の仕切板１０で隔離されているため、第１の電池２０と第２の電池２１は接触を回避でき電源回路は通電不能状態になる。
【００７７】
また、第１の電池２０の極性を誤って挿入した場合、第１の電池２０のプラス電極と第２の電池２１のプラス電極が相対して挿入されているが、第１の電池２０のマイナス電極とプラス電圧端子２は第１の仕切板１０により隔離されているため、第１の電池２０のマイナス電極とプラス電圧端子２との接触を回避することができ電源回路は通電不能になる。
【００７８】
次に第７の実施例について図４および図１３（Ａ）を参照して説明する。第７の実施例の電池誤挿入防止構造は、図４示す２個の電池を直列に収納する凹状の電池収納部１と、図１３（Ａ）に示す電池収納部カバー１１とか構成される。
【００７９】
電池収納部１は、長手方向の一方に配設され電池のプラス電極と接続するプラス電圧端子２と、プラス電圧端子２に対面して他方に配設され電池のマイナス電極と接続するマイナス電圧端子３と、プラス電圧端子２から所定の距離離れた内側に配設されたＵ字形状の溝を有する第１の仕切板４とから構成されている。
【００８０】
プラス電圧端子２は電池のプラス電極に圧接され当接する板バネ状の端子であり、マイナス電圧端子３は電池のマイナス電極に圧接され当接する板バネ状の端子である。従ってプラス電圧端子２とマイナス電圧端子３は同一形状であってもよい。
【００８１】
第１の仕切板４は、電池のプラス電極である突起部の直経より大きく且つマイナス電極の直経より小さいＵ字状の切り欠きを有し、また電池収納部カバー１１は、図１３（Ａ）に示すように中央部（第１の電池のマイナス電極と第２の電池のプラス電極との接続位置に相当する位置）に半円形状の第２の仕切板１２が突出し、その突出は電池を挿嵌したとき電池のプラス電極である突起部の円周に当接しない高さで、その両端は電池収納部１の長手方向の両側面内壁に当接する幅で一体整形されている。
【００８２】
電池の挿入は、図４に示す電池収納部１に第１の電池２０のプラス電極を第１の仕切板４のＵ字状の溝に沿って挿入し、次いで第２の電池２１のマイナス電極をマイナス電圧端子３に当接して電池収納部１の凹状内部に挿入した後、電池収納部カバー１１を所定の方法で取り付ける。
【００８３】
これにより電池収納部カバー１１に一体整形された半円形状の第２の仕切板１２が第１の電池２０のマイナス電極と第２の電池２１のプラス電極との間に挿入される。このとき第２の電池のプラス電極は半円状の第２の仕切板１２から突出し第１の電池２０のマイナス電極と接触し電源回路は通電状態になる。
【００８４】
第１の電池２０のマイナス電極と第２の電池２１のマイナス電極が相対して挿入された場合は、第１の電池２０のマイナス電極と第２の電池２１のマイナス電極は第２の仕切板１２により隔離され電源回路は通電不能になる。
【００８５】
また、第１の電池２０のプラス電極と第２の電池２１のプラス電極が相対して挿入した場合は、第１の電池２０のマイナス電極とプラス電圧端子２は第１の仕切板４により隔離されているため、第１の電池２０のマイナス電極とプラス電圧端子２との接触を回避することができ電源回路は通電不能になる。
【００８６】
次に第８の実施例について図４および図１３（Ｂ）を参照して説明する。第８の実施例の電池誤挿入防止構造は、図４示す２個の電池を直列に収納する凹状の電池収納部１と、図１３（Ｂ）に示す電池収納部カバー１１とか構成される。
【００８７】
電池収納部１は、長手方向の一方に配設され電池のプラス電極と接続するプラス電圧端子２と、プラス電圧端子２に対面して他方に配設され電池のマイナス電極と接続するマイナス電圧端子３と、プラス電圧端子２から所定の距離離れた内側に配設されたＵ字形状の溝を有する第１の仕切板４とから構成されている。
【００８８】
プラス電圧端子２は電池のプラス電極に圧接され当接する板バネ状の端子であり、マイナス電圧端子３は電池のマイナス電極に圧接され当接する板バネ状の端子である。従ってプラス電圧端子２とマイナス電圧端子３は同一形状であってもよい。
【００８９】
第１の仕切板４は、電池のプラス電極である突起部の直経より大きく且つマイナス電極の直経より小さいＵ字状の切り欠きを有し、また電池収納部カバー１１は、図１３（Ｂ）に示すように中央部（第１の電池のマイナス電極と第２の電池のプラス電極との接続位置に相当する位置）および一方の端（第２の電池２１のマイナス電極位置とマイナス電圧端子３との接続部分に相当する位置）に、半円形状の第２の仕切板１３が突出し、その突出は電池を挿嵌したとき電池のプラス電極である突起部の円周に当接しない高さで、その両端は電池収納部１の長手方向の両側面内壁に当接する幅で一体整形されている。
【００９０】
電池の挿入は、図４に示す電池収納部１に第１の電池２０のプラス電極を第１の仕切板４のＵ字形状の溝に沿って挿入し、次いで第２の電池２１のマイナス電極をマイナス電圧端子３に当接して電池収納部１の凹状内部に挿入した後、電池収納部カバー１１を所定の方法で取り付ける。
【００９１】
これにより電池収納部カバー１１に一体整形された半円状の第２の仕切板１３が第１の電池２０のマイナス電極と第２の電池２１のプラス電極との間および第２の電池のマイナス電極とマイナス電圧端子との間に挿入され、第１の電池２０はプラス電圧端子と第２の仕切板１３により固定される。
【００９２】
このとき第２の電池２１のプラス電極は半円形状の第２の仕切板１３から突出し第１の電池２０のマイナス電極と接触し電源回路は通電状態になる。
【００９３】
第１の電池２０のマイナス電極と第２の電池２１のマイナス電極が相対して挿入された場合は、第１の電池２０のマイナス電極と第２の電池２１のマイナス電極は第２の仕切板１３により隔離され電源回路は通電不能になる。
【００９４】
また、第１の電池２０のプラス電極と第２の電池２１のプラス電極が相対して挿入した場合は、第１の電池２０のマイナス電極とプラス電圧端子２は第１の仕切板４により隔離されているため、第１の電池２０のマイナス電極とプラス電圧端子２との接触を回避することができ電源回路は通電不能状態になる。
【００９５】
次に第９の実施例について図４および図１３（Ｃ）を参照して説明する。第９の実施例の電池誤挿入防止構造は、図４示す２個の電池を直列に収納する凹状の電池収納部１と、図１３（Ｃ）に示す電池収納部カバー１１とか構成される。
【００９６】
電池収納部１は、長手方向の一方に配設され電池のプラス電極と接続するプラス電圧端子２と、プラス電圧端子２に対面して他方に配設され電池のマイナス電極と接続するマイナス電圧端子３と、プラス電圧端子２から所定の距離離れた内側に配設されたＵ字形状の溝を有する第１の仕切板４とから構成されている。
【００９７】
プラス電圧端子２は電池のプラス電極に圧接され当接する板バネ状の端子であり、マイナス電圧端子３は電池のマイナス電極に圧接され当接する板バネ状の端子である。従ってプラス電圧端子２とマイナス電圧端子３は同一形状であってもよい。
【００９８】
第１の仕切板４は、電池のプラス電極である突起部の直経より大きく且つマイナス電極の直経より小さいＵ字状の切り欠きを有し、また電池収納部カバー１１は、図１３（Ｃ）に示すように中央部（第１の電池のマイナス電極と第２の電池のプラス電極との接続位置に相当する位置）に直線状の第２の仕切板１４が突出し、その突出は電池を挿嵌したとき電池のプラス電極である突起部の円周に当接しない高さで、その両端は電池収納部１の長手方向の両側面内壁に当接する幅で一体整形されている。
【００９９】
電池の挿入は、図４に示す電池収納部１に第１の電池２０のプラス電極を第１の仕切板４のＵ字状の溝に沿って挿入し、次いで第２の電池２１のマイナス電極をマイナス電圧端子３に当接して電池収納部１の凹状内部に挿入した後、電池収納部カバー１１を所定の方法で取り付ける。
【０１００】
これにより電池収納部カバー１１に一体整形された直線状の第２の仕切板１４が第１の電池２０のマイナス電極と第２の電池２１のプラス電極との間に挿入され、第１の電池２０はプラス電圧端子と第２の仕切板１４により、また第２の電池２１は第２の仕切板１４とマイナス電圧端子３により固定される。
【０１０１】
このとき第２の電池２１のプラス電極は半円状の第２の仕切板１４から突出し第１の電池２０のマイナス電極と接触し電源回路は通電状態になる。
【０１０２】
第１の電池２０のマイナス電極と第２の電池２１のマイナス電極が相対して挿入された場合は、第１の電池２０のマイナス電極と第２の電池２１のマイナス電極は第２の仕切板１４により隔離され電源回路は通電不能になる。
【０１０３】
また、第１の電池２０のプラス電極と第２の電池２１のプラス電極が相対して挿入した場合は、第１の電池２０のマイナス電極とプラス電圧端子２は第１の仕切板４により隔離されているため、第１の電池２０のマイナス電極とプラス電圧端子２との接触を回避することができ電源回路は通電不能状態になる。
【０１０４】
次に第１０の実施例について図４および図１３（Ｄ）を参照して説明する。第１０の実施例の電池誤挿入防止構造は、図４示す２個の電池を直列に収納する凹状の電池収納部１と、図１３（Ｄ）に示す電池収納部カバー１１とか構成される。
【０１０５】
電池収納部１は、長手方向の一方に配設され電池のプラス電極と接続するプラス電圧端子２と、プラス電圧端子２に対面して他方に配設され電池のマイナス電極と接続するマイナス電圧端子３と、プラス電圧端子２から所定の距離離れた内側に配設されたＵ字形状の溝を有する第１の仕切板４とから構成されている。
【０１０６】
プラス電圧端子２は電池のプラス電極に圧接され当接する板バネ状の端子であり、マイナス電圧端子３は電池のマイナス電極に圧接され当接する板バネ状の端子である。従ってプラス電圧端子２とマイナス電圧端子３は同一形状であってもよい。
【０１０７】
第１の仕切板４は、電池のプラス電極である突起部の直経より大きく且つマイナス電極の直経より小さいＵ字状の切り欠きを有し、また電池収納部カバー１１は、図１３（Ｄ）に示すように中央部（第１の電池のマイナス電極と第２の電池のプラス電極との接続位置に相当する位置）にコの字状の第２の仕切板１５が突出し、その突出は電池を挿嵌したとき電池のプラス電極である突起部の円周に当接しない高さで、その両端は電池収納部１の長手方向の両側面内壁に当接する幅で一体整形されている。
【０１０８】
電池の挿入は、図４に示す電池収納部１に第１の電池２０のプラス電極を第１の仕切板４のＵ字状の溝に沿って挿入し、次いで第２の電池２１のマイナス電極をマイナス電圧端子３に当接して電池収納部１の凹状内部に挿入した後、電池収納部カバー１１を所定の方法で取り付ける。
【０１０９】
これにより電池収納部カバー１１に一体整形された直線状の第２の仕切板１５が第１の電池２０のマイナス電極と第２の電池２１のプラス電極との間に挿入され、第１の電池２０はプラス電圧端子と第２の仕切板１５により、また第２の電池２１は第２の仕切板１５とマイナス電圧端子３により固定される。
【０１１０】
このとき第２の電池のプラス電極は半円状の第２の仕切板１５から突出し第１の電池２０のマイナス電極と接触し電源回路は通電状態になる。
【０１１１】
第１の電池２０のマイナス電極と第２の電池２１のマイナス電極が相対して挿入された場合は、第１の電池２０のマイナス電極と第２の電池２１のマイナス電極は第２の仕切板１５により隔離され電源回路は通電不能になる。
【０１１２】
また、第１の電池２０のプラス電極と第２の電池２１のプラス電極が相対して挿入した場合は、第１の電池２０のマイナス電極とプラス電圧端子２は第１の仕切板４により隔離されているため、第１の電池２０のマイナス電極とプラス電圧端子２との接触を回避することができ電源回路は通電不能になる。
【０１１３】
【発明の効果】
以上説明したように本発明の電池誤挿入防止構造は、少なくとも２個の第１および第２の電池を縦方向に直列に実装可能な凹状で一面が開放された長方形状の両端に、前記第１の電池のプラス電極と接続するプラス電圧端子と前記第２の電池のマイナス電極と接続するマイナス電圧端子とを対向して備え、前記電池を挿嵌後前記開放された一面に蓋をするための電池収納部カバーを有する電池収納部に、プラス電圧端子から所定距離隔てた位置にＵ字状の第１の仕切板を配設し、第１の仕切板から所定距離隔てた位置に第２の仕切板を配設し、第１の仕切板と第２の仕切板との間に第１の電池のプラス電極をプラス電圧端子側に向け挿嵌し、第２の仕切板とマイナス電圧端子との間に第２の電池のマイナス電極をマイナス電圧端子側に向け挿嵌するよう構成したので、第１および第２の電池の挿入が正常のときは、第１の電池のプラス電極である突起部が第１の仕切板のＵ字形状の溝から突出しプラス電圧端子と接触し、第２の電池のプラス電極である突起部は第２の仕切板から突出し第１の電池のマイナス電極と接触し、且つ第２の電池のマイナス電極はマイナス電圧端子と接触し通電状態となる。
【０１１４】
また、第１の電池が誤挿入された場合（第１の電池のプラス電極と第２の電池のプラス電極が接触）には、第１の電池のマイナス電極とプラス電圧端子間は第１の仕切板で隔離され通電不能となり、第２の電池が誤挿入された場合（第１の電池のマイナス電極と第２の電池のマイナス電極が接触）には、第１の電池のマイナス電極と第２の電池のマイナス電極間は第２の仕切板で隔離され通電不能となるので、電池の誤挿入があっても完全に通電を回避でき、電池誤挿入による電池の破裂、液漏れ事故を防止することができる。
【０１１５】
また、通電の逆流がなくなるため、回路の破損を防止することができる。
【０１１６】
また、通電の逆流がなくなるため、逆流防止回路が不要となり、製品コストの削減が図れる。
【０１１７】
また、２個以上の電池を直列に接続する場合でも、個々の電池の接続部分に仕切板を設ける必要がなく、第２の仕切板は１個設けるだけで、誤挿入時の通電を完全に防止することができる。
【０１１８】
また、請求項１〜３においては、第１および第２の仕切板が電池収納部と一体成形されるので、外に構成部品が全く不要であり製品コストの高騰を回避でき、且つ単に電池を挿入するだけでよく組立が極め容易である。
【０１１９】
また、請求項４〜７においては、第２の仕切板を電池収納部と別に用意する必要があるものの、その構造は極めてシンプルで、且つ組立も容易である。
【０１２０】
また、請求項８〜１２においては、第２の仕切板を電池収納部カバーと一体成形するので、外に構成部品が全く不要であり製品コストの高騰を回避でき、且つ単に電池を挿入するだけでよく組立が極め容易である。
【図面の簡単な説明】
【図１】本発明の第１の実施例の電池収納部の外観を示す図である。
【図２】第１の実施例の電池収納部に電池を挿入した場合の断面図であり、（Ａ）は電池の正常挿入状態を示す図，（Ｂ）および（Ｃ）は電池の誤挿入状態を示す図である。
【図３】第２の実施例の電池収納部の外観を示す図である。
【図４】第３〜第１０の実施例の電池収納部の外観を示す図である。
【図５】第３の実施例の第２の仕切板を示す図である。
【図６】第３の実施例の組立時の状態を示す図であり、（Ａ）は平面図、（Ｂ）は断面図である。
【図７】第４の実施例の第２の仕切板を示す図である。
【図８】第４の実施例の組立時の状態を示す図であり、（Ａ）は平面図、（Ｂ）は断面図である。
【図９】第５の実施例の第２の仕切板を示す図である。
【図１０】第５の実施例の組立時の状態を示す図であり、（Ａ）は平面図、（Ｂ）は断面図である。
【図１１】第６の実施例の第２の仕切板を示す図である。
【図１２】第６の実施例の組立時の状態を示す図であり、（Ａ）は平面図、（Ｂ）は断面図である。
【図１３】第７〜第１０の電池収納部カバー側の仕切板を示す図であり、（Ａ）は第１１の仕切板を示す図、（Ｂ）は第１２の仕切板を示す図、（Ｃ）は第３の仕切板を示す図、（Ｄ）は第１４の仕切板を示す図である。
【図１４】従来の電池収納部の平面図である。
【符号の説明】
１    電池収納部
２    プラス電圧端子
３    マイナス電圧端子
４    第１の仕切板
５    第２の仕切板
６    第２の仕切板
７    第２の仕切板
８    第２の仕切板
９    第２の仕切板
１０    第２の仕切板
１１    電池収納部カバー
１２    第２の仕切板
１３    第２の仕切板
１４    第２の仕切板
１５    第２の仕切板
２０    第１の電池
２１    第２の電池
【図１】
0003592199.tif 000002
【図２】
0003592199.tif 000003
【図３】
0003592199.tif 000004
【図４】
0003592199.tif 000005
【図５】
0003592199.tif 000006
【図６】
0003592199.tif 000007
【図７】
0003592199.tif 000008
【図８】
0003592199.tif 000009
【図９】
0003592199.tif 000010
【図１０】
0003592199.tif 000011
【図１１】
0003592199.tif 000012
【図１２】
0003592199.tif 000013
【図１３】
0003592199.tif 000014
【図１４】
0003592199.tif 000015